(57)【要約】【課題】  持ち運ぶのが容易であり、内部に収納された機器を安全に保護することができ、開放が容易である、映像システムの持ち運び及び装着用のケースを提供する。【解決手段】  ケース１００は、ディスプレイ機器４を収納する前面ケース（第１のケース体）１１０、映像再生機器３を収納する後面ケース（第２のケース体）１２０、後面ケース１２０から映像再生機器３を引き出すための引出部材１３０、前面ケース１１０と後面ケース１２０を連結する連結部１４０、前面ケース１００と後面ケース１２０を結合させるための結合手段１５０、及びケース１００を車両の座席の後側に装着させるための装着ベルト１６０とを備えて構成されている。【選択図】  図１
2005145450.tif 000002
【特許請求の範囲】
【請求項１】
内部に映像再生機器やディスプレイ機器を収納し、持ち運ぶ又は車両の座席に装着するためのケースであって、
ディスプレイ機器を収納する第１のケース体と、
映像再生機器を収納する第２のケース体と、
前記第１及び第２のケース体の一端を互いに連結し、その連結された部分を中心にして前記第１及び第２のケース体の一方が他方に対して回転することにより両ケースが開閉するように構成された連結部と、
前記第２のケース体の内部に収納されている映像再生機器を引き出して映像再生機器の操作部を露出させるための引出部材と、
前記第１及び第２のケース体を車両の座席に装着させる装着ベルトとを備えていることを特徴とするケース。
【請求項２】
前記引出部材は、
互いに離間して設けられ、前記第２のケース体の内面に固定されたそれぞれの一端を中心にして回転可能である第１水平プレート及び第２水平プレートと、
前記第１及び第２水平プレートの他端を垂直に連結する垂直プレートと、
前記垂直プレートの上端に設けられ、前記第１及び第２水平プレートが回転して前記映像再生機器が水平方向に引き出されたときに、前記第１及び第２水平プレートを水平に保つ支持ストラップと、
前記垂直プレートの外面に設けられ、前記映像再生機器を前記垂直プレートに結合させる固定手段とから構成されることを特徴とする請求項１に記載のケース。
【請求項３】
前記引出部材は、その中央に設けられた折れ部を中心にして折り畳まれる第１の折れプレートと第２の折れプレートとを有し、
前記第１折れプレートの一端は前記第２のケース体の内面に固定されており、
前記第２折れプレートには、前記映像再生機器を前記第２折れプレートに着脱自在に結合させるための固定手段が設けられていることを特徴とする請求項１に記載のケース。
【請求項４】
前記映像再生機器を収納し、前記第２のケース体に着脱自在に取り付けられる補助ケースをさらに備え、
前記補助ケースの外面には、前記垂直プレートに設けられた固定手段と結合する補助ケース側固定手段が設けられていることを特徴とする請求項２に記載のケース。
【請求項５】
前記映像再生機器を収納し、前記第２のケース体に着脱自在に取り付けられる補助ケースをさらに備え、
前記補助ケースの外面には、前記第２折れプレートに設けられた固定手段と結合する補助ケース側固定手段が設けられていることを特徴とする請求項３に記載のケース。
【請求項６】
前記第２のケース体は、車両の座席に取り付けた際に前面となる側が開いている箱状に構成されており、この開いている側から前記映像再生機器を前記第２のケース体の内部に収納することを特徴とする請求項１に記載のケース。
【請求項７】
前記第２のケース体は、車両の座席に装着した際に側面となる側が開いている箱状に構成されており、この開いている側から前記映像再生機器を前記第２のケース体の内部に収納することを特徴とする請求項１に記載のケース。
【請求項８】
前記第１及び第２のケース体を結合させるための結合手段をさらに備えており、
前記結合手段は、前記第１及び第２のケース体の前記連結部が設けられている端部以外の端部に設けられることを特徴とする請求項１に記載のケース。
【請求項９】
前記結合手段は、ジッパーであることを特徴とする請求項８に記載のケース。
【請求項１０】
前記第１及び第２のケース体の前記連結部が設けられている端部に、取っ手が設けられていることを特徴とする請求項１に記載のケース。
【請求項１１】
前記ディスプレイ機器を収納し、前記第１のケース体に着脱自在に取り付けられる取付ユニットをさらに備えることを特徴とする請求項１に記載のケース。
【請求項１２】
前記取付ユニットは、該取り付けユニットを前記装着ベルトに取り付けるための取付部材を有していることを特徴とする請求項１１に記載のケース。
【請求項１３】
前記ディスプレイ機器の後面には、該ディスプレイ機器を前記装着ベルトに固定するための固定手段が設けられていることを特徴とする請求項１に記載のケース。
【請求項１４】
前記ディスプレイ機器の後面には、該ディスプレイ機器を前記装着ベルトに取り付けるためのクリップ部材が設けられていることを特徴とする請求項１に記載のケース。
【発明の詳細な説明】
【技術分野】
【０００１】
本発明は映像システムの持ち運び及び車両装着用のケースに関し、より詳しくは、映像再生機器及びディスプレイ機器を内部に収納し、安全かつ容易に持ち運ぶことができ、車両の座席の後側に着脱自在に装着することができるケースに関する。
【背景技術】
【０００２】
最近、自動車内に、ＴＶやビデオを見たりゲームをしたりするためのディスプレイ機器を備えたオーディオ／ビデオシステム（ＡＶシステム）が取り付けられている。ＡＶシステムは、タッチスクリーン方式の液晶モニタ、ビデオシステム、オーディオシステム、ＣＤチェンジャー、ナビゲーションシステム、ＤＶＤプレイヤー、衛星放送セットトップボックスなどを組み合わせて構成されている。また、ナビゲーション機能、インターネット、無線通信機能、音声認識機能、文字／音声変換機能などをサポートするように、機能の強化又は多様化が進められている。
【０００３】
ほとんどの車両用ＡＶシステムは、車両内に「オンダッシュ（on-dash）」方式か「インダッシュ（in-dash）」方式により設置される。オンダッシュ方式とは、自動車のダッシュボード上にＡＶシステムを設置したものである。一方、インダッシュ方式は、ＡＶシステムはダッシュボード内に設置されており、パワーボタンを押すと、モニタが上方に突出するように構成されている。
【０００４】
このようなに構成された車両用ＡＶシステムは、一般の家庭用のものよりも設置方法が複雑であり、一般の人が設置するのは困難なので、車両用ＡＶシステムの専門代理店などが設置を行っていた。
【０００５】
そこで、ＡＶシステムを持ち運ぶ及び車両に着脱自在に装着するシステムが提案されている。そのシステムの一例は、１９９９年１月２５日付けで特許された「乗用車用のビデオモニタ及びビデオプレイヤーを収納、移動、及び装着するための収納式ケース（Self-contained case for housing transporting and mounting video monitor and video player for use in passenger vehicles）」に開示されている（特許文献１参照）。
【０００６】
図１５は、特許文献１に開示されている、収納式ケースを示す斜視図である。このケースは、エンタテインメント用のビデオ機器を、自動車内に着脱自在に装着するためのものである。前記ケースは、ビデオ機器を内部に収納する縦長の長方形状のケース１０と、ケース１０を車両の座席に着脱自在に装着させるための装着ベルト２０とを備えている。
【０００７】
ケース１０は、ケース１０の上部及び下部を開閉するように取り付けられたフロントパネル１６とメッシュのサイドパネル１２を有しており、両者はジッパーにより連結されている。サイドパネル１２は、自動車内の乗員がビデオ機器に近づくことができるように、外側に所定角度で開くことができる。サイドパネル１２の内側には、映像再生機器３が収納されており、ケース１０の上部の内側には、映像再生機器３からの信号を受信するディスプレイ機器４が取付部材により取り付けられている。そして、フロントパネル１６を折り畳むと、ケース１０の上部が開放され、ディスプレイ機器４が露出する。
【０００８】
装着ベルト２０は、自動車の内部床面、第１及び第２のヘッドレスト３ａ，３ａの全てに隣接する位置に着脱自在に装着される
【特許文献１】米国特許第６，０９２，７０５号
【発明の開示】
【発明が解決しようとする課題】
【０００９】
しかしながら、前記した従来のケースは、ケース１０が長いため、持ち運ぶのが不便であり、ケース１０内に収納されている機器が持ち運び中に損傷する恐れがあった。また、ケース１０の上部及び下部を覆っているフロントパネル１６を開くのは面倒であり、手間がかかるものであった。
【００１０】
そこで、本発明の目的は、持ち運ぶのが容易であり、内部に収納された機器を安全に保護することができ、開放が容易である、映像システムの持ち運び及び装着用のケースを提供することにある。
【課題を解決するための手段】
【００１１】
前記課題を解決するために、本発明は、内部に映像再生機器やディスプレイ機器を収納し、持ち運ぶ又は車両の座席に装着するためのケースであって、ディスプレイ機器を収納する第１のケース体と、映像再生機器を収納する第２のケース体と、前記第１及び第２のケース体の一端を互いに連結し、その連結された部分を中心にして前記第１及び第２のケース体の一方が他方に対して回転することにより両ケースが開閉するように構成された連結部と、前記第２のケース体の内部に収納されている映像再生機器を引き出して映像再生機器の操作部を露出させるための引出部材と、前記第１及び第２のケース体を車両の座席に装着させる装着ベルトとを備えて構成されている。
【発明の効果】
【００１２】
本発明によれば、持ち運ぶのが容易であり、内部に収納された機器を安全に保護することができ、開放が容易である、映像システムの持ち運び及び装着用のケースを提供することができる。
【発明を実施するための最良の形態】
【００１３】
以下、本発明に係る映像システムの持ち運び及び車両装着用のケース（以下、単に「ケース」という）の実施形態について、適宜図面を参照しつつ詳細に説明する。
（第１の実施形態）
図１〜図４を参照しつつ、第１の実施形態であるケース１００について説明する。
【００１４】
ケース１００は、ディスプレイ機器４を収納する前面ケース（第１のケース体）１１０、映像再生機器３を収納する後面ケース（第２のケース体）１２０、後面ケース１２０から映像再生機器３を引き出すための引出部材１３０、前面ケース１１０と後面ケース１２０を連結する連結部１４０、前面ケース１００と後面ケース１２０を結合させるための結合手段１５０、及びケース１００を車両の座席の後側に装着させるための装着ベルト１６０とを備えている。
【００１５】
前面ケース１１０は、前面側が開放された矩形の箱状に形成されており、その内部には、開放されている前面側から、ディスプレイ機器４が取り付けられる。
【００１６】
ディスプレイ機器４は、取付ユニット５００により、前面ケース１１０の内側に着脱自在に取り付けられる。図２に示すように、その内部にディスプレイ機器４が固定された取付ユニット５００は、前面ケース１１０の内面に設けられた係止ボタン１１１を、取付ユニット５００の上部に設けられている係止孔に挿入して係止させることにより、前面ケース１１０に取り付けられる。また、取付ユニット５００は、固定手段５４０により開閉自在に構成されている前面カバー５２０をさらに備えている。また、詳細については図１１Ａ〜図１４Ｂを参照しつつ後述するが、取付ユニット５００は、ケース１００を使用することなく、座席のヘッドレストに直接、着脱自在に取り付けることもできる。
【００１７】
ディスプレイ機器４は、映像再生機器３からの信号を受信し表示することができる、ＬＣＤテレビ又はＬＣＤモニタであることが好ましい。また、ディスプレイ機器４として、ＣＲＴテレビ又はプラズマテレビを用いてもよい。
【００１８】
映像再生機器３から信号を受信することに加えて、ディスプレイ機器４は、アンテナ（図示せず）から無線周波数信号を受信することもできる。ディスプレイ機器４は、使用者がディスプレイ機器４の音声を車内のＦＭラジオから聞けるように、内蔵式の無線周波数送受信機を含んでいることが好ましい。また、内蔵式の無線周波数受信機の代わりに、ディスプレイ機器４は、イヤホンジャックを介して接続される外部のＦＭ送信機を使用することもできる。
【００１９】
また、前面ケース１１０の外面にはポケット１０１が設けられ、前面ケース１１０の外面における２つの対向する枠部には、それぞれ連結輪１０２が設けられる。この前面ケース１１０は、装着ベルト１６０により、自動車のヘッドレスト２に装着される（図４参照）。
【００２０】
後面ケース１２０は、前面ケース１１０と同様に、前面側が開放された矩形の箱状に形成されている。後面ケース１２０は、前面ケース１１０と対向するように配置される。ビデオカセットプレイヤーやＤＶＤプレイヤーのような映像再生機器３は、補助ケース１７０に収納される。補助ケース１７０は、後面ケース１２０の内部に、開放されている前面側から、着脱自在に取り付けられる。
【００２１】
補助ケース１７０に収納されている映像再生機器３は、ビデオカセットプレイヤーとＤＶＤプレイヤーを共に有する組み合わせ型であることが好ましい。映像再生機器３は、操作部３ａが上方に露出するように、補助ケース１７０内に垂直方向に取り付けられる。そして、使用者が操作部３ａを操作できるように、引出部材１３０により後面ケース１２０から前方（水平方向）に引き出される。
【００２２】
図３Ａ及び図３Ｂに示すように、引出部材１３０は後面ケース１２０の内部に設けられている。引出部材１３０は、映像再生機器３が後面ケース１２０内に収納されているときは折り畳まれており、映像再生機器３が後面ケース１２０から引き出されたときは広げられる。引出部材１３０は、互いに離間して設けられている、第１水平プレート１３１と第２水平プレート１３２を有している。第１及び第２水平プレート１３１，１３２の一端は、それぞれ後面ケース１２０の内面に固定されており、第１及び第２水平プレート１３１，１３２の他端は、垂直プレート１３３に固定されている第１及び第２水平プレート１３１，１３２は、後面ケース１２０に固定されている一端を中心にして、上方に回転可能である。
【００２３】
第１水平プレート１３１、第２水平プレート１３２、及び垂直プレート１３３は、クッションの内部に硬い板を入れた材質からできている。
【００２４】
また、垂直プレート１３３の上端には、第１及び第２水平プレート１３１，１３２を水平に保持する、折り畳み自在な支持ストラップ１３４が連結している。これにより、映像再生機器３を水平方向に引き出すことが可能になる（図３Ｂ参照）。
【００２５】
また、垂直プレート１３３の外面と補助ケース１７０の外面には、それぞれ固定手段１３５が設けられており、この固定手段１３５により、垂直プレート１３３と補助ケース１７０は互いに結合される。固定手段１３５は、固定テープであることが好ましい。
【００２６】
また、前面ケース１１０と後面ケース１２０の後面の枠部には、複数の連結輪１０２、１０４が設けられており、前面ケース１１０と後面ケース１２０は、連結輪１０２、１０４に連結される装着ベルト１６０を使用することより座席に装着される。
【００２７】
本実施形態では、装着ベルト１６０は、前面ケース１１０と後面ケース１２０の後面に、それぞれ２つずつ設けられている。この装着ベルト１６０，１６０は、前面ケース１１０と後面ケース１２０を、ヘッドレスト２と座席６の腰部位置に装着させる。
【００２８】
装着ベルト１６０は、互いに着脱自在に係合するバックル１６３、１６４を備えており、連結輪１０２、１０４に、フック１６２を介して着脱自在に係合される。
【００２９】
結合手段１５０は、前面ケース１１０と後面ケース１２０を閉じた状態で結合することができるように、前面ケース１１０と後面ケース１２０のエッジ部の周囲（ただし、前面ケース１１０と後面ケース１２０上部を除く）に設けられる。結合手段１５０は、ジッパーであることが好ましい。
【００３０】
また、前面ケース１１０の上端と後面ケース１２０の上端とを一体に連結する連結部１４０が形成されている（図１参照）。結合手段１５０により閉じた状態で固定されている前面及び後面ケース１１０，１２０は、連結部１４０を軸にして互いに回転することにより開くことができる。
【００３１】
また、前面及び後面ケース１１０，１２０の上部には、両上部に跨って取っ手１８０が設けられる
また、後面ケース１２０の内部には、映像再生機器３からの信号をディスプレイ機器４に伝送するケーブル１９０が設けられている。
【００３２】
また、映像再生機器３に連結されている電源供給ケーブル１９２は、車両のシガージャック（図示せず）と接続しており、シガージャックから電力が供給される。
【００３３】
以上のように構成されたケース１００は、次のように使用される。
【００３４】
ケースの持ち運び時の使用について説明する。
【００３５】
その内部にディスプレイ機器４が収納されている取付ユニット５００を、係止ボタン１１１を係止孔に係合させることにより、前面ケース１１０の内面に取り付ける。映像再生機器３は、操作部３ａが上方となるように、後面ケース１２０の引出部材１３０に固定されている。なお、映像再生機器３とディスプレイ機器４は、予めケーブル１９０によって互いに接続されている。
【００３６】
前面ケース１１０と後面ケース１２０は、それらの上部において、結合手段１５０により互いに閉じられている。したがって、使用者は、持ち運びの際は、取っ手１８０を握ることによりケース１００を容易に持ち運ぶことができる。
【００３７】
ケース１００の自動車内での使用について説明する。
【００３８】
まず、結合手段１５０であるジッパーを開き、連結部１３０を中心にして前面ケース１１０と後面ケース１２０を回転させて、前面ケース１１０と後面ケース１２０が一直線状になるようにする。ケース１００は、このような開かれた状態で、自動車に装着される。
【００３９】
次に、図４に示すように、前面ケース１１０の連結輪１０２に、フック１６２を介して装着ベルト１６０を連結した後、装着ベルト１６０を自動車のヘッドレスト２に巻着させる。
【００４０】
そして、自動車のシガージャック（図示せず）に接続されている電源供給ケーブル１９２は、後面ケース１２０の一側面に形成されている孔を介して、映像再生機器３に連結される。
【００４１】
その後、取付ユニット５００の前面カバー５２０を外して、使用者からディスプレイ機器４が見えるようにする。
【００４２】
図３Ａ及び図３Ｂは、映像再生機器３を後面ケース１２０から引き出すために、引出部材１３０が使用されることを示している。
【００４３】
映像再生機器３は、補助ケース１７０及び引出部材１３０に設けられた固定手段１３５により、引出部材１３０に固定されている。使用者が引出部材１３０に固定されている映像再生機器３を前方側に引っ張ると、上方に折り畳まれていた第１水平プレート１３１と第２水平プレート１３２は回転して、前方に広げられる。このような、第１水平プレート１３１と第２水平プレート１３２の回転は、支持ストラップ１３３により止められる。このとき、第１水平プレート１３１と第２水平プレート１３２は水平となり、垂直プレート１３３は垂直となる。すなわち、引出部材１３０は、コの字状に保たれる。
【００４４】
これにより、映像再生機器３は、水平状態が維持されたまま、前方に突出する。したがって、使用者が操作部３を操作して、映像再生機器３によりビデオカセットやＣＤなど再生するのが容易となる。
【００４５】
使用者が視聴を終え、ケース１００を持ち運ぶか保管する場合は、電源供給ケーブル１９２を取り外し、映像再生機器３を後面ケース１２０の内側に押し込む。
【００４６】
この動作により、引出部材１３０の第１水平プレート１３１及び第２水平プレート１３２は、上方に回転して折り畳まれると共に、後面ケース１２０の内部に入り込む。このとき、支持ストラップ１３４も、折り畳まれる。また、取付ユニット５００の前面カバー５２０も閉じられる。
【００４７】
さらに、装着ベルト１６０を連結輪１０２、１０４から外して、自動車の座席６やヘッドレスト２から引き離す。
【００４８】
装着ベルト１６０は、後面ケース１２０か前面ケース１１０の内部、又は外部ポケット１０１に保管する。
【００４９】
最後に、使用者が持ち運ぶために、連結部１４０を中心にして前面ケース１１０と後面ケース１２０を閉じた後、両者を結合手段１５０により結合させる。
【００５０】
このように、前面ケース１１０と後面ケース１２０は折り畳まれるので、ケース１００は持ち運ぶのが容易である。また、前面ケース１１０と後面ケース１２０で挟むことにより、内部に収納された機器が損傷するのを防ぐことができる。さらに、結合手段１５０の解除のみでケースを開くことできるので、映像再生機器３をケースから引き出すことができ、映像システムの作動が容易になる。
（第２の実施形態）
図５〜図７を参照しつつ、第２の実施形態であるケース２００ついて説明する。
【００５１】
ケース２００は、後面ケース１２０以外は、前記した第１の実施形態に係るケース１００と同様の構成である。そのため、ここでは後面ケース１２０についてのみ説明し、他のケース１００と同一の部分については同じ符号を付してその説明を省略する。
【００５２】
後面ケース１２０は矩形の箱状に形成されており、その前面側は閉じられ、一側面は開かれている。後面ケース１２０の内部には、その開かれた一側面から、映像再生機器３が水平に収納される。このとき、操作部３ａが一側方から露出するようにする。
【００５３】
また、映像再生機器３が後面ケース１２０から離脱するのを防ぐために、図示しない弾性の吊紐により固定させることもできる。
【００５４】
さらに、後面ケース１２０の開放された一側面に、映像再生機器３の操作部３ａを覆うためのカバー２１０を更に形成することもできる。
【００５５】
カバー２１０は、後面ケース１２０と同じ材質からなり、その一端は、後面ケース１２０に一体的に固定される。また、その他端は、後面ケース１２０の後側に取り付けられる固定テープ（図示せず）により固定されて開放状態をなす。
【００５６】
以上のように構成されたケース２００は、前面ケース１１０と同様に、後面ケース１２０の後側の枠部に、連結輪１０２、１０４が設けられる。そして、図７に示すように、装着ベルト１６０により自動車の座席６に装着される。
（第３の実施形態）
図８〜図１０を参照しつつ、第３の実施形態であるケース３００ついて説明する。
【００５７】
ケース３００は、後面ケース１２０以外は、前記した第１の実施形態に係るケース１００と同様の構成である。引出部材３３０以外は、前記した第１の実施形態に係るケース１００と同様の構成である。そのため、ここでは引出部材３３０についてのみ説明し、他のケース１００と同一の部分については同じ符号を付してその説明を省略する。
【００５８】
引出部材３３０は、後面ケース１２０の内面に固定されており、他端は映像再生機器３の後面と結合する。このことにより、映像再生機器３は、後面ケース１２０から前方に引き出したときに、操作部３ａが露出するような位置に固定される。また、引出部材３３０の中心部には折れ部３３１が設けられており、引出部材３３０は折れ部３３１において、折れプレート３３２と折れプレート３３６とに２つに折り畳むことができる。
【００５９】
引出部材３３０は、少なくとも１つであれば十分であるが、本実施形態では、上下に２つの引出部材３３０が設けられている。引出部材３３０の折れプレート３３６の一端３３７は、後面ケース１２０の内面に固定され、折れプレート３３２の一端３３３は、固定テープ３３４，３３５により映像再生機器３の後面に着脱自在に結合される。
【００６０】
引出部材３３０の一端３３７は、縫い付けられることにより後面ケース１２０の内面に固定されている。また、他端３３３には、両面テープ、接着剤又は縫い付けることにより、固定テープ３３４が取り付けられている。固定テープ３３４は、映像再生機器３の後面に両面テープ又は接着剤により取り付けられた固定テープ３３５と結合することにより、映像再生機器３を引出部材３３０に固定する。
【００６１】
引出部材３３０は、映像再生機器３が後面ケース１２０から前方に引き出されたときは広げられ、映像再生機器３の下側の一部を後面ケース１２０の下部で支持することにより、映像再生機器３を操作部３ａが露出する位置に固定する。また、映像再生機器３が後面ケース１２０の内側に押し込まれたときは、折れ部３３１と折れプレート３３２、３３６は一定の方向に折れる（図９Ｂでは上方に折れる）。
【００６２】
図１１Ａ及び図１１Ｂは、前面ケース１１０の内側に着脱自在に取り付けられるように設計された取付ユニット５００を、取付ベルト６００を使用して、自動車の座席に直接固定する例を示す。図１１Ａ及び図１１Ｂに示すように、取付ベルト６００は、座席６に着脱自在に取り付けられる。取付ベルト６００には係止ボタン６２０が形成されており、取付ユニット５００の上部に形成された係止孔５１０と係合する。また、取付ベルト６００の長さは、車両の座席６の周囲に巻着するのに十分な長さである。さらに、取付ベルト６００の一端には、長さ調整用のクリップ６１０が設けられており、クリップ６１０により座席６の大きさに応じて取付ベルト６００長さを調整することにより、取付ベルト６００を座席６に堅固に巻着させることができる。
【００６３】
図１２は、図１１Ａ及び図１１Ｂに示した取付ユニット５００の変形例であり、取付ユニット５００の左右両側にシート固定ベルト６００を取り付けたものである。
【００６４】
また、図１３Ａ〜図１４Ｂは、取付ユニットを使用せずに、ディスプレイ機器を座席に直接取り付けた例を示したものである。
【００６５】
図１３Ａ及び図１３Ｂでは、ディスプレイ機器４の後面には、固定テープ５５０が設けられている。この固定テープ５５０は、取付ベルト６００に設けられた固定テープ５２０と結合することにより、ディスプレイ機器４を取付ベルト６００に固定する。
【００６６】
図１４Ａ及び図１４Ｂでは、ディスプレイ機器４の後面に、取付ユニットとして作用するクリップ部材５６０が取り付けられている。クリップ部材５６０は、クリップ部材５６０のボルト孔５６２を通したボルト５６４を、ディスプレイ機器４の後面に形成されたボルト穴４ａに締結させることにより、ディスプレイ機器４の後面に取り付けられる。そして、取付ベルト６００をクリップ部材５６０に係合させることにより、ディスプレイ機器４を取付ベルト６００に装着する。
【００６７】
なお、図１１Ａ〜図１４Ｂでは、前面ケース１１０を使用しないとして説明したが、前面ケース１１０を使用するように構成することも可能である。その場合は、取付ベルト６００は、第１〜第３実施形態において示した装着ベルト１６０に取り付けられる。
【００６８】
以上、本発明の好適な実施形態について説明したが、本発明は前記した実施形態及び変形例のみに限定されるものではなく、本発明の技術的思想に基づく限りにおいて、種々の変形が可能である。
【図面の簡単な説明】
【００６９】
【図１】第１の実施形態であるケース１００を示す斜視図である。
【図２】ケース１００の開放斜視図である。
【図３Ａ】ケース１００の使用状態を示す側断面図であり、引出部材１３０が折り畳まれている状態を示す。
【図３Ｂ】ケース１００の使用状態を示す側断面図であり、引出部材１３０が広げられた状態を示す。
【図４】ケース１００を自動車内に装着して使用する状態を示す斜視図である。
【図５】第２の実施形態であるケース２００を示す斜視図である。
【図６】ケース２００の開放斜視図である。
【図７】ケース２００を自動車内に装着して使用する状態を示す斜視図である。
【図８】第３の実施形態であるケース３００の開放斜視図である。
【図９Ａ】ケース３００の使用状態を示す側断面図であり、引出部材３３０が折り畳まれている状態を示す。
【図９Ｂ】ケース３００の使用状態を示す側断面図であり、引出部材３３０が広げられた状態を示す。
【図１０】ケース３００を自動車内に装着して使用する状態を示す斜視図である。
【図１１Ａ】取付ユニット５００によりディスプレイ機器を装着する例を示す分解斜視図である。
【図１１Ｂ】取付ユニット５００によりディスプレイ機器を装着した状態を示す斜視図である。
【図１２】取付ユニット５００の変形例を示す分解斜視図である。
【図１３Ａ】取付ユニット５００を使用せず、ディスプレイ機器のみを装着する例を示す分解斜視図である。
【図１３Ｂ】図１３Ａの例によりディスプレイ機器のみを装着した状態を示す斜視図である。
【図１４Ａ】取付ユニット５００を使用せず、ディスプレイ機器のみを装着する他の例を示す分解斜視図である。
【図１４Ｂ】図１４Ａの例によりディスプレイ機器のみを装着した状態を示す斜視図である。
【図１５】従来のケースを示す斜視図である。
【符号の説明】
【００７０】
２    ヘッドレスト
３    映像再生機器
４    ディスプレイ機器
６    座席
１００    ケース
１１０    前面ケース（第１のケース体）
１２０    後面ケース（第２のケース体）
１３０    引出部材
１３５    固定手段
１４０    連結部
１５０    結合手段
１６０    装着ベルト
１７０    補助ケース
１８０    取っ手
５００    取付ユニット
【図１】
2005145450.tif 000003
【図２】
2005145450.tif 000004
【図３Ａ】
2005145450.tif 000005
【図３Ｂ】
2005145450.tif 000006
【図４】
2005145450.tif 000007
【図５】
2005145450.tif 000008
【図６】
2005145450.tif 000009
【図７】
2005145450.tif 000010
【図８】
2005145450.tif 000011
【図９Ａ】
2005145450.tif 000012
【図９Ｂ】
2005145450.tif 000013
【図１０】
2005145450.tif 000014
【図１１Ａ】
2005145450.tif 000015
【図１１Ｂ】
2005145450.tif 000016
【図１２】
2005145450.tif 000017
【図１３Ａ】
2005145450.tif 000018
【図１３Ｂ】
2005145450.tif 000019
【図１４Ａ】
2005145450.tif 000020
【図１４Ｂ】
2005145450.tif 000021
【図１５】
2005145450.tif 000022